(57)【要約】【課題】中継装置を跨いで通信相手の通信機器を呼び出す場合に、通信相手の機能に応じて音声信号の送信制御方式を切り換えることを可能にする。【解決手段】中継装置２は、電話中継部３、ネットワーク通信中継部４および無線通信中継部５を備える。無線通信中継部５は、複数の外部機器インタフェースを備えており、各外部機器インタフェースには、アナログレピータ２５、デジタルレピータ２７等が接続される。ＳＩＰ電話機２０からアナログトランシーバ２７に呼び出しがあった場合、呼出情報からアナログトランシーバ２７のアドレスや機器種別を割り出し、アナログトランシーバ２７にあった送信制御方式（ＶＯＸ方式）で音声信号をアナログトランシーバ２７宛に送信する。【選択図】図１
2020053837.tif 000002
【特許請求の範囲】
【請求項１】
ネットワークを介して電話機から呼出情報を受信し、該呼出情報で指定される通信相手が応答したのち前記電話機と音声信号の送受信を行う電話中継部と、
中継用無線機であるレピータが接続され、該レピータを介して無線機と音声信号の送受信を行う無線通信中継部と、を備え、
前記電話中継部は、前記電話機から受信した前記呼出情報に基づいて、呼び出し対象の無線機である宛先機器を決定し、前記電話機から受信した音声信号を前記無線通信中継部に転送し、前記無線通信中継部は、前記電話中継部から転送された音声信号を前記宛先機器に転送する中継装置であって、
前記電話中継部は、前記決定された宛先機器に対応した前記音声信号の転送制御方式を決定し、決定された方式で前記音声信号を前記無線通信中継部に転送する中継装置。
【請求項２】
前記音声信号の転送制御方式は、前記電話機と前記宛先機器との通信中は音声信号の転送を中断なく行う常時送信方式、電話機から所定レベル以上の音声信号が入力された場合のみその音声信号を転送するＶＯＸ方式、または、送信開始を指示するトーン信号が入力されたのち、送信停止を指示するトーン信号が入力されるまで音声信号の転送を中断なく行うＤＴＭＦ方式のいずれかである請求項１に記載の中継装置。
【請求項３】
前記電話中継部は、前記呼出情報、前記宛先機器のアドレス、および、前記宛先機器の機器種別を含むレコードを前記無線機ごとに記憶した呼出先テーブル、および、前記機器種別および前記音声信号の転送制御方式を含むレコードを前記機器種別ごとに記憶した転送制御テーブルを備え、
前記電話中継部は、前記呼出先テーブルを参照して前記宛先機器の機器種別を決定し、前記転送制御テーブルを参照して前記決定された機器種別に対応する音声信号の転送制御方式を決定し、決定された転送制御方式で音声信号を転送する
請求項１または請求項２に記載の中継装置。
【請求項４】
前記転送制御テーブルは、前記宛先機器が備える音声信号の送受信機能に合わせた音声信号の転送制御方式を、前記機器種別に対応付けて記憶する請求項３に記載の中継装置。
【請求項５】
事前の呼出手順を行わないで通信相手に音声信号の送信を開始するＷＬＡＮトランシーバと、前記ネットワークを介して接続されるとともに、
事前の呼出手順を行わないで通信相手に音声信号の送信を開始するＬＴＥトランシーバと、携帯電話機の通信網であるＬＴＥネットワークを介して接続される、
ネットワーク通信中継部をさらに備え、
前記呼出先テーブルおよび転送制御テーブルは、前記ＷＬＡＮトランシーバおよび前記ＬＴＥトランシーバを宛先機器とする、前記呼出情報、前記宛先機器のアドレス、前記機器種別、および、前記音声信号の転送制御方式を記憶している請求項３または請求項４に記載の中継装置。
【請求項６】
前記呼出先テーブルは、複数の通信機器を宛先機器とするグループ通信のレコードをさらに記憶している請求項３乃至請求項５のいずれかに記載の中継装置。
【請求項７】
電話機、および、無線機と通信する中継用無線機であるレピータが接続された中継装置において、
前記電話機から無線機を呼び出すための呼出情報を受信し、
前記呼出情報に基づいて、呼び出し対象の無線機である宛先機器を決定し、
前記決定された宛先機器に対応した音声信号の転送制御方式を決定し、
前記レピータを介して前記宛先機器を呼び出し、
前記宛先機器が応答したのち、前記決定された転送制御方式で前記電話機から受信した音声信号を前記レピータに転送する
音声信号の中継方法。
【請求項８】
前記音声信号の転送制御方式は、前記電話機と前記宛先機器との通信中は音声信号の転送を中断なく行う常時送信方式、電話機から所定レベル以上の音声信号が入力された場合のみその音声信号を転送するＶＯＸ方式、または、送信開始を指示するトーン信号が入力されたのち、送信停止を指示するトーン信号が入力されるまで音声信号の転送を中断なく行うＤＴＭＦ方式のいずれかである請求項７に記載の音声信号の中継方法。
【請求項９】
前記呼出情報、前記宛先機器のアドレス、および、前記宛先機器の機器種別を含むレコードを前記無線機ごとに記憶した呼出先テーブルを参照して前記宛先機器の機器種別を決定し、
前記機器種別および前記音声信号の転送制御方式を含むレコードを前記機器種別ごとに記憶した転送制御テーブルを参照して前記決定された機器種別に対応する音声信号の転送制御方式を決定する
請求項７または請求項８に記載の音声信号の中継方法。
【請求項１０】
前記転送制御テーブルは、前記宛先機器が備える音声信号の送受信機能に合わせた音声信号の転送制御方式を、前記機器種別に対応付けて記憶する請求項９に記載の音声信号の中継方法。
【請求項１１】
前記中継装置は、事前の呼出手順を行わないで通信相手に音声信号の送信を開始するＷＬＡＮトランシーバ、および、事前の呼出手順を行わないで通信相手に音声信号の送信を開始するＬＴＥトランシーバとさらに接続され、
前記呼出先テーブルおよび転送制御テーブルは、前記ＷＬＡＮトランシーバおよび前記ＬＴＥトランシーバを宛先機器とする、前記呼出情報、前記宛先機器のアドレス、前記機器種別、および、前記音声信号の転送制御方式を記憶している請求項９に記載の音声信号の中継方法。
【請求項１２】
前記呼出先テーブルは、複数の通信機器を宛先機器とするグループ通信のレコードをさらに記憶している請求項９乃至請求項１１のいずれかに記載の音声信号の中継方法。
【発明の詳細な説明】
【技術分野】
【０００１】
この発明は、電話機と無線機との通信を中継する中継装置に関し、特には、音声信号の転送制御の最適化に関する。
【背景技術】
【０００２】
無線トランシーバや電話機などの音声通信をネットワークで中継する中継装置が提案されている（特許文献１，２，３参照）。複数の中継装置をネットワークを介して接続することで、ＩＰ電話機と無線機など、異なる種類の通信機器が相互に音声通信できるようにすることも可能である。
【先行技術文献】
【特許文献】
【０００３】
【特許文献１】特開２０１４−０８７０２７号公報
【特許文献２】国際公開ＷＯ２０１５／０６８６６３公報
【特許文献３】国際公開ＷＯ２０１６／００２８６６公報
【発明の概要】
【発明が解決しようとする課題】
【０００４】
上記のように中継装置と中継装置とをネットワークで接続して異種の通信機器の音声通信を中継する場合、送信側から受信側の通信機器の機能を知ることができない。したがって、受信側の機能に合わせて音声信号の送信制御を行うことができず、予め定めた一定の方式で音声信号を送信するほかなかった。例えば、全二重通信を行う電話機から無線機を呼び出して通信する際に、その呼び出す無線機の通信機能（全二重／半二重）が判れば、その機能に応じて音声信号を常時送信方式とするかＶＯＸ方式とするかが決められるが、判らない場合には、一律にＶＯＸ方式で送信しなければならないなどの支障があった。
【０００５】
そこで、この発明の目的は、中継装置を跨いで通信相手の通信機器を呼び出す場合に、通信相手の機能に応じて音声信号の送信制御方式を切り換えることを可能にすることにある。
【課題を解決するための手段】
【０００６】
本発明の中継装置は、ネットワークを介して電話機から呼出情報を受信し、該呼出情報で指定される通信相手が応答したのち電話機と音声信号の送受信を行う電話中継部と、中継用無線機であるレピータが接続され、該レピータを介して無線機と音声信号の送受信を行う無線通信中継部とを備え、電話中継部は、電話機から受信した呼出情報に基づいて、呼び出し対象の無線機である宛先機器を決定し、電話機から受信した音声信号を無線通信中継部に転送し、無線通信中継部は、電話中継部から転送された音声信号を宛先機器に転送する。さらに、電話中継部は、決定された宛先機器に対応した音声信号の転送制御方式を決定し、決定された方式で音声信号を無線通信中継部に転送する。
【０００７】
本発明の音声信号の中継方法は、電話機、および、無線機と通信する中継用無線機であるレピータが接続された中継装置において、電話機から無線機を呼び出すための呼出情報を受信し、呼出情報に基づいて、呼び出し対象の無線機である宛先機器を決定し、決定された宛先機器に対応した音声信号の転送制御方式を決定し、レピータを介して宛先機器を呼び出し、宛先機器が応答したのち、決定された転送制御方式で電話機から受信した音声信号をレピータに転送することを特徴とする。
【０００８】
上記発明において、音声信号の転送制御方式は、電話機と宛先機器との通信中は音声信号の転送を中断なく行う常時送信方式、電話機から所定レベル以上の音声信号が入力された場合のみ、その音声信号を転送するＶＯＸ方式、または、送信開始を指示するトーン信号が入力されたのち、送信停止を指示するトーン信号が入力されるまで音声信号の転送を中断なく行うＤＴＭＦ方式のいずれかとすればよい。
【０００９】
上記発明において、電話中継部に呼出先テーブルおよび転送制御テーブルを設けてもよい。呼出先テーブルは、呼出情報、宛先機器のアドレス情報、および、宛先機器の機器種別を含むレコードを無線機ごとに記憶したテーブルである。転送制御テーブルは、機器種別および音声信号の転送制御方式を含むレコードを機器種別ごとに記憶したテーブルである。電話中継部は、呼出先テーブルを参照して宛先機器の機器種別を決定し、転送制御テーブルを参照して宛先機器の機器種別に対応する音声信号の転送制御方式を決定し、決定された転送制御方式で音声信号を転送する。
【００１０】
上記発明において、転送制御テーブルは、宛先機器が備える音声信号の送受信機能に合わせた音声信号の転送制御方式を、機器種別に対応付けて記憶してもよい。
【００１１】
上記発明において、中継装置は、ネットワーク通信中継部を備えてもよい。ネットワーク通信中継部は、ネットワークを介してＷＬＡＮトランシーバと接続され、ＬＴＥネットワークを介してＬＴＥトランシーバと接続される。ＷＬＡＮトランシーバおよびＬＴＥトランシーバは、それぞれネットワーク、ＬＴＥネットワークを介して、事前の呼出手順を行わないで通信相手に音声信号の送信を開始するものである。呼出先テーブルおよび転送制御テーブルは、ＷＬＡＮトランシーバおよびＬＴＥトランシーバのレコードを記憶する。また、呼出先テーブルは、複数の通信機器を宛先機器とするグループ通信のレコードをさらに記憶してもよい。
【発明の効果】
【００１２】
この発明によれば、異種の通信機器間で音声信号を送受信する場合に、受信側の通信機器の機能に合わせた音声信号の送信制御が可能になる。
【図面の簡単な説明】
【００１３】
【図１】図１は、音声通信システムのブロック図である。
【図２】図２は、中継装置のブロック図である。
【図３】図３は、中継装置に設けられる各種テーブルを示す図である。
【図４】図４は、音声信号の送信制御方式を説明する図である。
【図５】図５は、電話機からアナログトランシーバを呼び出した場合のシーケンス図である。
【図６】図６は、中継装置の電話中継部のフローチャートである。
【発明を実施するための形態】
【００１４】
図面を参照してこの発明の音声通信システムについて説明する。図１は、この発明の実施形態である音声通信システム１の構成図である。図２は中継装置２の構成を示す図である。
【００１５】
音声通信システム１は、中継装置２を有している。中継装置２は、ＩＰ電話システム１３、ＷＬＡＮトランシーバシステム１４、ＬＴＥトランシーバシステム１５および無線通信システム１６からなる複数の通信システム間の音声通信を中継する。このため、中継装置２は、電話中継部３、ネットワーク通信中継部４および無線通信中継部５を有している。
【００１６】
電話中継部３には、ＩＰ電話システム１３が接続される。ＩＰ電話システム１３は、ネットワーク１０に接続されたＳＩＰ電話機２０、ＶｏＩＰゲートウェイ２１、および、ＶｏＩＰゲートウェイ２１に接続された内線電話機２２を有する。ＶｏＩＰゲートウェイ２１はＰＢＸ機能を備えており、電話回線（外線）にも接続される。
【００１７】
ネットワーク通信中継部４には、無線アクセスポイント（不図示）を有するネットワーク１０、および、基地局（不図示）を有するＬＴＥ通信網１１が接続される。ネットワーク１０上にはＷＬＡＮトランシーバシステム１４が構成され、ＬＴＥ通信網１１上にはＬＴＥトランシーバシステム１５が構成される。ＷＬＡＮトランシーバシステム１４は、無線アクセスポイントを介してネットワーク１０にアクセスするＷＬＡＮトランシーバ２３を有している。ＬＴＥトランシーバシステム１５は、基地局を介してＬＴＥ通信網１１にアクセスするＬＴＥトランシーバ２４を有している。ネットワーク通信中継部４の構成および機能は、本出願人の先行出願である「国際公開ＷＯ２０１５／０６８６６３」に詳述されている。
【００１８】
無線通信中継部５は、図２に示すように複数の外部機器インタフェース３４を有している。各外部機器インタフェース３４には、アナログ方式の無線トランシーバ（レピータ）２５、および、デジタル方式の無線トランシーバ（レピータ）２７がそれぞれ接続されている。レピータ２５は、同種のアナログ方式のハンディ無線トランシーバ（アナログトランシーバ）２６と通信する。レピータ２７は、同種のデジタル方式のハンディ無線トランシーバ（デジタルトランシーバ）２８と通信する。無線通信中継部５の構成および機能は、本出願人の先行出願である「特開２０１４−０８７０２７号公報」、「国際公開ＷＯ２０１６／００２８６６」に詳述されている。
【００１９】
図２は、中継装置２のブロック図である。図１に示したように、中継装置２は、電話中継部３、ネットワーク通信中継部４および無線通信中継部５を有しているが、これらは、主として機能的（ソフトウェア的）に実現される。中継装置２は制御部３０を有している。制御部３０は、ＣＰＵ、ＲＯＭ、ＲＡＭなどを有するコンピュータで構成される。制御部３０には、ネットワーク接続部３１、ＬＴＥ接続部３２および信号処理部３３が接続される。ネットワーク接続部３１は、ネットワーク１０に接続される。ＬＴＥ接続部３２はＬＴＥ通信網１１に接続される。図１には、電話中継部３、ネットワーク通信中継部４に接続されるネットワーク１０をそれぞれ別に記載しているが、全て同じネットワークで構わない。
【００２０】
中継装置２では、制御部３０を含むハードウェアとソフトウェアの協働により、機能的に、電話中継部３、ネットワーク通信中継部４および無線通信中継部５が実現される。電話中継部３は、ネットワーク通信中継部４と音声信号等を送受信するためのインタフェース３Ａを有している。ネットワーク通信中継部４は、無線通信中継部５と音声信号等を送受信するためのインタフェース４Ａを有している。また、無線通信中継部５は信号処理部３３と音声信号等を送受信するためのインタフェース５Ａを有している。信号処理部３３は、制御部３０（インタフェース５Ａ）から入力されたＲＴＰパケットから音声信号を取り出し、デジタルまたはアナログの信号波に変換して外部機器インタフェース３４に出力する。また、信号処理部３３は、外部機器インタフェース３４から入力されたデジタルまたはアナログの音声信号を圧縮、符号化およびＲＴＰパケット化して制御部３０（インタフェース５Ａ）に入力する。なお、無線通信中継部５、信号処理部３３および外部機器インタフェース３４が、本発明の「無線通信中継部」に対応している。
【００２１】
外部機器インタフェース３４（３４−１〜３）は、３つ設けられており、それぞれアナログインタフェース３４−１、デジタルインタフェース３４−２、アナログ（手元マイク・スピーカ）インタフェース３４−３である。図１では、アナログインタフェース３４−１およびデジタルインタフェース３４−２にレピータ２５、２７が接続されている状態を示している。
【００２２】
ネットワーク通信中継部４は、ＷＬＡＮトランシーバ２３同士の通信、ＬＴＥトランシーバ２４同士の通信、および、ＷＬＡＮトランシーバ２３−ＬＴＥトランシーバ２４間の通信を中継する。ネットワーク通信中継部４は、また、電話中継部３からの呼び出しに対応して、ＳＩＰ電話機２０または内線電話機２２（以下、電話機２０、２２と呼ぶ）とＷＬＡＮトランシーバ２３またはＬＴＥトランシーバ２４との通信、および、電話機２０、２２と無線トランシーバ２６、２８との通信を中継する。
【００２３】
電話中継部３は、ＳＩＰ電話機２０や内線電話機２２からの呼び出しを受信し、その呼び出し先である通信相手の通信機器（宛先機器）を決定して、その宛先機器の情報および電話機２０、２２から受信した音声信号をネットワーク通信中継部４に入力する。
【００２４】
図３は、電話機２０、２２からＷＬＡＮトランシーバ２３、ＬＴＥトランシーバ２４、アナログ／デジタルの無線トランシーバ２６、２８の呼び出しおよび通信を中継するために、制御部３０に設けられる各種テーブルを示す図である。
【００２５】
図３（Ａ）は、呼出先テーブル３７を示す図である。呼出先テーブル３７は、電話機２０、２２から電話中継部３宛に呼び出しがあったとき、その呼び出しがどの通信機器宛のものであるかを判断するテーブルである。ここで、呼び出される通信機器は、この中継装置２で中継しているＷＬＡＮトランシーバ２３、ＬＴＥトランシーバ２４、アナログトランシーバ２６、デジタルトランシーバ２８などである。電話機２０、２２から、いずれかの通信機器を個別に呼び出す場合、電話中継部３（中継装置２）の電話番号に続けて、個別呼出プレフィックス「＊」および呼び出す通信機器の識別番号（ＩＤ）が入力される。そうすると、ＳＩＰ電話機２０またはＶｏＩＰゲートウェイ２１から電話中継部３に、「電話中継部３の電話番号」＋「＊」＋「識別番号」が付加された呼び出しメッセージ（ＩＮＶＩＴＥメッセージ）が送信されてくる。
【００２６】
呼出先テーブル３７には、各識別番号（ＩＤ）に対応して、識別番号で指定される通信の種別（個別／グループ／全体）、識別番号で指定される通信機器の種別（機器種別）と内部アドレス・ポート番号が記載されている。また、電話機２０、２２から電話中継部３に対しては、複数の通信機器を同時に呼び出すグループ呼出（全体呼出を含む）が可能であり、グループ呼出の識別番号に対しては、そのグループに所属する通信機器の識別番号が記憶されている。電話機２０、２２から識別番号が付加された呼び出しがあったとき、電話中継部３は、その識別番号で呼出先テーブル３７を検索して、通信相手となる通信機器を割り出す。この通信相手となる通信機器が、本発明の宛先機器に対応する。識別番号が本発明の呼出情報に対応する。
【００２７】
図３（Ｂ）は、ＰＴＴ制御テーブル３８を示す図である。ＰＴＴ制御テーブル３８は、電話機２０、２２から受信した音声信号を通信相手の通信機器に送信する場合の、送信制御の方式を決定するためのテーブルである。このテーブルでは、機器種別に応じて常時送信方式、ＶＯＸ方式またはＤＴＭＦ方式が指定される。
【００２８】
図４を参照して常時送信方式、ＶＯＸ方式およびＤＴＭＦ方式について説明する。常時送信方式とは、通信開始（オフフック）から通信終了（オンフック）までの間、電話機２０、２２から受信した音声信号（無音波形を含む）を送信し続ける方式であり、トランシーバの通信方式の一つである全二重方式に対応したものである。ＶＯＸ方式とは、電話機２０、２２から所定のレベル以上の（通話音声と考えられる）音声信号が入力されたときのみこの音声信号を送信する方式であり、トランシーバの通信方式の一つである半二重方式対応したものである。なお、ネットワーク１０を経由したＩＰ電話システムでは、一般的に音声信号はＲＴＰパケットの形式で送受信される。また、ＤＴＭＦ方式は、オフフック後、電話機２０，２２のユーザによるＰＴＴ−ＯＮ指示トーンにより音声信号の送信を開始し、ユーザによるＰＴＴ−ＯＦＦ指示トーンの入力で音声信号の送信を終了する方式である。これは電話機でＰＴＴ（プッシュ・トゥ・トーク）スイッチに類似した操作を実現するものである。
【００２９】
ＰＴＴ制御テーブル３８には、通信機器（宛先機器）の機器種別そのそれぞれに対して、常時送信方式、ＤＴＭＦ方式またはＶＯＸ方式のいずれかが指定される。ＰＴＴ制御テーブル３８では、ＬＡＮトランシーバおよび無線トランシーバの場合ＶＯＸ方式が指定され、ＬＴＥトランシーバ（電話通信）およびマイク・スピーカの場合、常時送信方式が指定される。また、全体通信、グループ通信の場合はＤＴＭＦ方式が指定される。各機器種別に対して指定される送信制御方式は、その通信機器の有する通信機能に合わせたものにすればよい。
【００３０】
上述したように、上記形態の音声通信システムで、電話機２０、２２から電話中継部３に対して、特定の通信機器を指定する呼び出しがあった場合、指定された通信機器の種類やグループ呼出か否かに基づいて、音声信号の送信制御方式が切り換えられる。
【００３１】
図５を参照して、電話機２０、２２のうち、ＳＩＰ電話機２０（以下、単に電話機２０と呼ぶ）からアナログ無線トランシーバ２６（以下、単に無線トランシーバ２６と呼ぶ）が呼び出された場合の、呼出発生から通話開始までのシーケンスを説明する。電話機からインタフェース３Ａまでの呼出シーケンスはＳＩＰに準拠しており、呼出途中の「100 Trying」や「180 Ringing」などの細かい応答の表示は省略している。
【００３２】
電話機２０から電話中継部３にＩＮＶＩＴＥメッセージが送信されると（Ｓ５０）、電話中継部３は、宛先機器（本例の場合、無線トランシーバ２６）を呼び出すために、このＩＮＶＩＴＥメッセージをインタフェース３Ａに転送する（Ｓ５１）。インタフェース３Ａでは、ＩＮＶＩＴＥメッセージに付加されていた識別番号で呼出先テーブル３７を検索してどの通信機器に対する呼出であるかを決定する（Ｓ５２）。同時に、電話中継部３（インタフェース３Ａ）は、呼出先テーブル３７から読み出した機器種別（本例の場合は、アナログトランシーバ）でＰＴＴ制御テーブル３８を検索し、送信制御方式をＶＯＸ方式とする（Ｓ５３）。決定された通信機器（無線トランシーバ２６）を呼び出すためのＲＴＰパケット形式の呼出パケットを生成して（Ｓ５４）、ネットワーク通信中継部４に出力する（Ｓ５５）。この呼出パケットは、呼出先テーブル３７に記載されていたアドレス、ポート番号を宛先とするものである。
【００３３】
呼出パケットは、宛先アドレス等に基づいて、ネットワーク通信中継部４から、無線通信中継部５に転送される（Ｓ５６）。無線通信中継部５では、この呼出パケットを無線トランシーバ２６を呼び出すための呼出信号に変換し（Ｓ５７）、この呼出信号をレピータ２５に入力する（Ｓ５８）。同時に無線通信中継部５（外部機器インタフェース３４）は、レピータ２５に対してＰＴＴ信号を出力する。レピータ２５は、呼出信号およびＰＴＴ信号が入力されると無線通信のための周波数帯域であるチャンネルを確保し（Ｓ５９）、そのチャンネルを用いて無線トランシーバ２６を呼び出す（Ｓ６０）。
【００３４】
呼出信号を受信した無線トランシーバ２６は呼出音を発生し、この呼出音に対してユーザが応答すると（Ｓ６１）、応答信号が無線トランシーバ２６からレピータ２５に送信される（Ｓ６２）。レピータ２５は、この応答信号を無線通信中継部５に入力する（Ｓ６３）。無線通信中継部５は、応答信号を電話中継部３のインタフェース３Ａを宛先とする応答パケット（ＲＴＰパケット）に変換して（Ｓ６４）、ネットワーク通信中継部４に送信する（Ｓ６５）。ネットワーク通信中継部４は、このＲＴＰパケットを宛先アドレスに従いインタフェース３Ａに転送する（Ｓ６６）。インタフェース３Ａは、この返信のＲＴＰパケットを受信すると、これを応答のＳＩＰメッセージ（２００  ＯＫ）に変換し（Ｓ６７）、このＳＩＰメッセージを電話中継部３を介して、電話機２０に返信する（Ｓ６８、Ｓ６９）。これにより、電話機２０が、呼出状態から通話状態になり、電話機２０と無線トランシーバ２６との間の通信が開始される（Ｓ７０）。
【００３５】
通信が開始されると、電話機２０から電話中継部３へは、常時継続的に音声信号（ＲＴＰパケット）が入力されるが、このうち所定レベル以上の音声信号が入力されたときのみ、これをＲＴＰパケットに再編集してネットワーク通信中継部４に送信する。ここで再編集されるＲＴＰパケットは、中継装置２内部で音声信号を転送する形式のパケットであり、ＩＰ電話で用いられる形式とは異なる。
【００３６】
図６は電話中継部３（インタフェース３Ａを含む）の音声信号送信制御処理を示すフローチャートである。この処理は、電話機２０または２２から受信した音声信号を通信相手の通信機器に送信する場合の処理を示している。電話機と通信機器との通信が開始されると（Ｓ１１）、電話中継部３は、ＰＴＴ制御テーブル３８を参照する（Ｓ１２）。ここでは、ＩＮＶＩＴＥメッセージに付加されていた識別番号で呼出先テーブル３７を検索して得られた機器種別を用いてＰＴＴ制御テーブル３８が検索される。検索された制御方式で音声信号を送信される。
【００３７】
決定された制御方式がＶＯＸ方式であれば（Ｓ１３でＹＥＳ）、Ｓ１５−Ｓ１７の処理が実行される。決定された制御方式がＤＴＭＦ方式であれば（Ｓ１３でＮＯ、Ｓ１４でＹＥＳ）、Ｓ２０−Ｓ２４の処理が実行される。決定された制御方式が常時送信方式であれば（Ｓ１３でＮＯ、Ｓ１４でＮＯ）、Ｓ２５−Ｓ２６の処理が実行される。
【００３８】
ＶＯＸ方式の場合（Ｓ１３でＹＥＳ）、制御部３０は、所定レベル以上の音声信号の入力があるかを判断し（Ｓ１５）、所定レベル以上の音声信号の入力があった場合のみ（Ｓ１５でＹＥＳ）、音声信号のＲＴＰパケットを生成して送信する（Ｓ１６）。以上の処理を通信が終了するまで（Ｓ１７でＹＥＳ）、継続する。
【００３９】
ＤＴＭＦ方式の場合（Ｓ１３でＮＯ、Ｓ１４でＹＥＳ）、制御部３０は、ＰＴＴ−ＯＮ指示トーンの入力があるか（Ｓ２０）、および、ＰＴＴ−ＯＦＦ指示トーンの入力があるか（Ｓ２３）を判断し、、ＰＴＴ−ＯＮ指示トーンの入力があったのち（Ｓ２０でＹＥＳ）、ＰＴＴ−ＯＦＦ指示トーンの入力があるまで（Ｓ２３でＹＥＳ）音声信号のＲＴＰパケットを生成して送信する（Ｓ２２）。なお、ＰＴＴ−ＯＮ指示トーンの入力（Ｓ２０）、および、ＰＴＴ−ＯＦＦ指示トーンの入力（Ｓ２３）を監視しているときに通信が終了すれば（Ｓ２１またはＳ２４でＹＥＳ）、処理を終了する。
【００４０】
常時送信方式の場合（Ｓ１３、Ｓ１４でＮＯ）、制御部３０は、通信が終了するまで（Ｓ２６でＹＥＳ）、音声信号のＲＴＰパケットの生成、送信を継続する（Ｓ２５）。なお、どの送信制御方式でも音声のＲＴＰパケットは一定時間ごとに（たとえば２０ｍｓ毎に）生成して送信される。
【００４１】
無線通信中継部５は電話中継部３から（ネットワーク通信中継部４を経由して）音声信号が入力されると、この音声信号を外部機器インタフェース３４に接続されている機器（レピータなど）に入力するとともに、その音声信号が出力されるように制御する。すなわち、レピータが接続されている場合には、ＰＴＴ信号を入力してその音声信号を送信するよう指示する。マイク・スピーカ２９の場合には特に何もしなくても音声信号がスピーカから放音される。
【００４２】
以上の実施形態では、電話機２０、２２から無線トランシーバ２６、２８などを呼び出した場合の処理について説明したが、その逆の場合、すなわち無線トランシーバ２６、２８から電話機２０、２２を呼び出す場合も、無線トランシーバのＩＤに基づいて、呼出先テーブル３７およびＰＴＴ制御テーブル３８を検索して音声信号の送信制御方式を決定すればよい。この場合、送信先テーブル３７は、送信元テーブルとして用いられる。この場合、電話機２０、２２に対してＩＮＶＩＴＥメッセージを送信するとき、呼出元の機器は確定されているため、音声信号の送信制御方式も確定しており、電話機２０、２２が応答した場合、この確定された送信制御方式で電話機２０、２２からの音声信号を呼出元の無線トランシーバ等に送信すればよい。
【符号の説明】
【００４３】
１  音声通信システム
２  中継装置
３  電話中継部
３Ａ  インタフェース
４  ネットワーク通信中継部
５  無線通信中継部
２０  ＳＩＰ電話機
２２  内線電話機
２５  アナログ無線機（レピータ）
２６  アナログトランシーバ
２７  デジタル無線機（レピータ）
２８  デジタルトランシーバ
２９  マイク・スピーカ
３４−１〜３  外部機器インタフェース
【図１】
2020053837.tif 000003
【図２】
2020053837.tif 000004
【図３】
2020053837.tif 000005
【図４】
2020053837.tif 000006
【図５】
2020053837.tif 000007
【図６】
2020053837.tif 000008